(57)【要約】【課題】発注元からの注文情報データを迅速に適切な部門に振り分けることが可能な注文情報振り分けシステムの提供を図る。【解決手段】本発明の注文情報振り分けシステムにおいて、ホストコンピュータ１０は、ＥＤＩデータ受信部１０１と、注文情報データ変換部１０２と、注文情報データ記憶部１０３と、注文情報データ振分テーブル１１５と、当該注文情報データが直結か非直結かを判断する注文情報データ振分部１０４と、直結注文情報データ分配テーブル１１６と、注文情報データを工場等に分配する直結注文情報データ分配部１０５と、非直結注文情報データ分配テーブル１１７と、注文情報データを営業所等に分配する非直結注文情報データ分配部１０６を備えている。【選択図】図２
2006338469.tif 000002
【特許請求の範囲】
【請求項１】
発注元からの注文情報データを複数の部門に振り分ける注文情報振り分けシステムであって、注文情報データを記憶する注文情報データ記憶部と、振り分け判断に用いる関連情報を記憶する関連情報記憶部と、注文情報データの中の少なくとも一つ以上の振り分け判断用項目を用いて、関連情報を参照した結果により、注文情報データを部門に振り分ける注文情報データ振分部を有する注文情報振り分けシステム。
【請求項２】
前記注文情報データ振分部は、注文情報データの中の、少なくとも一つ以上の振り分け判断用項目を用いて、前記関連情報を参照した結果と、注文情報振分情報とを比較することにより、注文情報データを後続処理に振り分ける請求項１記載の注文情報振り分けシステム。
【請求項３】
前記注文情報振分情報は、前記振り分け判断用項目が前記関連情報を参照して条件を満たしているかどうかを示す区分と、前記後続処理との組み合わせで構成される請求項１または請求項２記載の注文情報振り分けシステム。
【請求項４】
前記振り分け判断用項目は、品番コードと部門コードと発注元コードであり、前記関連情報は、品番情報と部門情報と発注元情報である請求項１から請求項３いずれか記載の注文情報振り分けシステム。
【請求項５】
前記注文情報振り分けシステムは、さらに、前記後続処理のひとつである非直結注文情報データ分配部を備え、前記非直結注文情報データ分配部は、非直結注文情報分配情報を参照することによって、注文情報データを部門に振り分ける請求項１から請求項４いずれか記載の注文情報振り分けシステム。
【請求項６】
前記非直結注文情報分配情報は、品番コードと部門コードと発注元コードとの組み合わせにより、振り分け先の部門を決定する情報である請求項５記載の注文情報振り分けシステム。
【請求項７】
前記注文情報振り分けシステムは、さらに、前記後続処理のひとつである直結注文情報データ分配部を備え、前記直結注文情報データ分配部は、直結注文情報分配情報を参照することによって、注文情報データを部門に振り分ける請求項１から請求項４いずれか記載の注文情報振り分けシステム。
【請求項８】
前記直結注文情報分配情報は、品番コードと部門コードとの組み合わせにより、振り分け先の部門を決定する請求項７記載の注文情報振り分けシステム。
【請求項９】
前記直結注文分配部は、直結注文情報分配情報を参照した結果、注文情報データを部門に振り分けできないことを判断した場合は、非直結注文情報データ分配部へ注文情報データを振り分ける請求項１から請求項８いずれか記載の注文情報振り分けシステム。
【請求項１０】
前記注文情報振り分けシステムは、さらに、発注元から伝送された受注データを、注文情報作成情報を参照して注文情報データへ変換する注文情報データ変換部を有する請求項１から請求項９いずれか記載の注文情報振り分けシステム。
【請求項１１】
前記部門コード及び部門は、事業部コード及び事業部である請求項１から請求項１０いずれか記載の注文情報振り分けシステム。
【請求項１２】
前記部門コード及び部門は、会社コード及び会社である請求項１から請求項１０いずれか記載の注文情報振り分けシステム。
【請求項１３】
発注元からの注文情報データを複数の部門に振り分ける注文情報振り分け方法であって、注文情報データを記憶する注文情報データ記憶ステップと、振り分け判断に用いる関連情報を記憶する関連情報記憶ステップと、注文情報データの中の少なくとも一つ以上の振り分け判断用項目を用いて、関連情報を参照した結果により、注文情報データを部門に振り分ける注文情報振分ステップを有する注文情報振り分け方法。
【請求項１４】
前記注文情報振分ステップは、注文情報データの中の、少なくとも一つ以上の振り分け判断用項目を用いて、関連情報を参照した結果と、注文情報振分情報とを比較することにより、注文情報データを後続処理に振り分ける請求項１３記載の注文情報振り分け方法。
【請求項１５】
発注元からの注文情報データを複数の部門に振り分ける注文情報振り分けプログラムであって、注文情報データを記憶する注文情報データ記憶ステップと、振り分け判断に用いる関連情報を記憶する関連情報記憶ステップと、注文情報データの中の少なくとも一つ以上の振り分け判断用項目を用いて、関連情報を参照した結果により、注文情報データを部門に振り分ける注文情報振分ステップをコンピュータに実行させるための注文情報振り分けプログラム。
【請求項１６】
前記注文情報振分ステップは、注文情報データの中の、少なくとも一つ以上の振り分け判断用項目を用いて、関連情報を参照した結果と、注文情報振分情報とを比較することにより、注文情報データを後続処理に振り分ける請求項１５記載の注文情報振り分けプログラム。
【請求項１７】
前記請求項１５もしくは請求項１６に記載の注文情報振り分けプログラムを記憶した読み取り可能な記憶媒体。
【発明の詳細な説明】
【技術分野】
【０００１】
この発明は、コンピュータを利用した、発注元とのＥＤＩ（Ｅｌｅｃｔｒｏｎｉｃ  Ｄａｔａ  Ｉｎｔｅｒｃｈａｎｇｅ：電子データ交換）による注文情報を受注者担当部門に振り分ける装置に関する。
【背景技術】
【０００２】
従来、製造業の企業間におけるＥＤＩシステムにおいて、発注元から伝送された標準ＥＤＩフォーマットに基づく受注データを、自社の組織（各部門）に自動的に振り分けるシステムでは、発注元の各部門に対して、受注者の各部門が対応付けられていた。
【０００３】
例えば、特許文献１に記載の製造業ＥＤＩ受注システムにおけるデータ分配装置では、サーバと複数のクライアントとが接続されたクライアント／サーバシステムの形態をとっており、サーバには受信データファイル、変換マスタファイル、受注ファイルおよび部門コード振り分け手段等が備えられている。このデータ分配装置において部門コード振り分け手段は、受信データファイルに保存された受信データから発注者（発注元）と発注者部門とを記録している発注者コードを読み取り、この発注者コードに対応する受注者の部門コードを変換マスタファイルから読み込んで、部門ごとに受注内容を参照したり帳票出力したりすることが可能な受注データとして振り分けていた。
【０００４】
この特許文献１では、従来の商習慣で一般的である、発注者に対する受注者の担当部門として、例えば営業所等がおかれていたことを前提としている。すなわち、この営業所等の役割は、どの発注者が発注した製品であるか、また、その製品の数量・単価等を把握するとともに、工場に対して製品の発注を行い、発注した製品の納期管理、在庫管理および発注者への納期の連絡等を行っていた。
【０００５】
特許文献１における、製造業ＥＤＩ受注システムにおけるデータ分配装置も、この従来の商習慣に則って発注者からの発注の受信データを分配しているため、発注者であるＡ社の横浜購買からの発注は、受注者である自社の横浜営業所で処理するといったような形態を想定しており、発注者の各部門に対して、自社の部門コードが対応付けられていることを前提としていた。
【特許文献１】特開２０００−２９９３０号公報
【発明の開示】
【発明が解決しようとする課題】
【０００６】
しかしながら、上述した特許文献１のデータ分配装置においては、営業所が一旦発注を受け、それをさらに工場へ連絡するという仲介処理が行われており、発注元からの受信データが迅速に処理されているとはいえない。また、近年の商取引においては、必要な製品を必要な数量のみ決められた短い時間で発注元へ納めることが求められている。
【０００７】
一方、発注元からの受信データを、全て工場などの製造部門に直接伝送する場合であっても、例えば、発注元からの情報に誤りがあり、発注元への内容確認が必要とされる場合には、工場のような顧客窓口を設置していない部門にデータを伝送しても、かえって問題解決に時間がかかるということが、たびたび発生しうる。
【０００８】
本発明はこのような従来の課題を解決するものであり、発注元からの注文情報データを迅速に適切な部門に振り分けることが可能な注文情報振り分けシステムを提供することを目的とする。
【課題を解決するための手段】
【０００９】
上記目的を達成するため、本発明の第一の主要な観点によれば、発注元からの注文情報データを複数の部門に振り分ける注文情報振り分けシステムであって、注文情報データを記憶する注文情報データ記憶部と、振り分け判断に用いる関連情報を記憶する関連情報記憶部と、注文情報データの中の少なくとも一つ以上の振り分け判断用項目を用いて、関連情報を参照した結果により、注文情報データを部門に振り分ける注文情報データ振分部を有する。
【００１０】
また、前記注文情報データ振分部は、注文情報データの中の、少なくとも一つ以上の振り分け判断用項目を用いて、関連情報を参照した結果と、注文情報振分情報とを比較することにより、注文情報データを後続処理に振り分ける。
【発明の効果】
【００１１】
この発明によれば、発注元からの注文情報データを適宜振り分けることにより、発注元からの注文に対して、より短期間に納品することが可能となる注文情報振分装置を提供できる。
【発明を実施するための最良の形態】
【００１２】
本発明の実施の形態は、発注元からの注文情報データを複数の部門に振り分ける注文情報振り分けシステムであって、注文情報データを記憶する注文情報データ記憶部と、振り分け判断に用いる関連情報を記憶する関連情報記憶部と、注文情報データの中の少なくとも一つ以上の振り分け判断用項目を用いて、関連情報を参照した結果により、注文情報データを部門に振り分ける注文情報データ振分部を有する。
【００１３】
また、前記注文情報データ振分部は、注文情報データの中の、少なくとも一つ以上の振り分け判断用項目を用いて、関連情報を参照した結果と、注文情報振分情報とを比較することにより、注文情報データを後続処理に振り分ける。
【００１４】
さらに、前記注文情報振分情報は、前記振り分け判断用項目が前記関連情報を参照して条件を満たしているかどうかを示す区分と、前記後続処理との組み合わせで構成される。
【００１５】
前記振り分け判断用項目は、品番コードと部門コードと発注元コードであり、前記関連情報は、品番情報と部門情報と発注元情報である。
【００１６】
このようにすることで、誤りのないデータと誤りを含むデータを明確に区分けすることができるようになるとともに、それぞれのデータに関して最適な対応を行うことができる部門に対して注文情報データを伝送するための振り分けをすることができる。
【００１７】
前記注文情報振り分けシステムは、さらに、前記後続処理のひとつである非直結注文情報データ分配部を備え、前記非直結注文情報データ分配部は、非直結注文情報分配情報を参照することによって、注文情報データを部門に振り分ける。
【００１８】
さらに、前記非直結注文情報分配情報は、品番コードと部門コードと発注元コードとの組み合わせにより、振り分け先の部門を決定する情報である。
【００１９】
このようにすることで、注文情報データ上の品番コード・部門コード・発注元コードの情報から求められる最も適した部門に、注文情報データを伝送することができる。
【００２０】
前記注文情報振り分けシステムは、さらに、前記後続処理のひとつである直結注文情報データ分配部を備え、前記直結注文情報データ分配部は、直結注文情報分配情報を参照することによって、注文情報データを部門に振り分ける。
【００２１】
さらに、前記直結注文情報分配情報は、品番コードと部門コードとの組み合わせにより、振り分け先の部門を決定する。
【００２２】
このようにすることで、注文情報データ上の品番・部門の情報から求められる最も適した部門に、注文情報データを伝送することができる。
【００２３】
前記直結注文分配部は、直結注文情報分配情報を参照した結果、注文情報データを部門に振り分けできないことを判断した場合は、非直結注文情報データ分配部へ注文情報データを振り分ける。
【００２４】
このようにすることで、例えエラーのない注文情報データであっても、何らかの理由で営業所に注文情報データを送りたい場合は、この直結注文情報データ分配テーブルに該当品番を登録しないことにより、営業所に注文情報データ伝送を行うことができる。また、テーブル登録担当者のミスなどにより直結注文情報データ分配テーブルに漏れがあった場合にも、注文情報データでの分配先が決定できる。
【００２５】
前記注文情報振り分けシステムは、さらに、発注元から伝送された受注データを、注文情報作成情報を参照して注文情報データへ変換する注文情報データ変換部を有する。
【００２６】
このようにすることで、業界標準のコードを、社内で使用するコードに変換することができるため、社内のコードが変更された場合にも、発注元は社内コード変更の影響を受けることなく業界標準のコードでデータ伝送することができる。
【実施例】
【００２７】
以下に図１乃至図１２を用いて本発明の実施の形態について詳細に説明する。なお、本実施の例においては、注文情報を振り分ける先の部門は事業部という形で存在するものとしているが、事業部でなくとも、会社あるいは部署という形の組織であってもかまわない。
【００２８】
図１は本発明の注文情報振り分けシステムのハードウェア構成図、図２は注文情報データの流れを示す機能ブロック図、図３は発注元から伝送されるＥＤＩ（Ｅｌｅｃｔｒｏｎｉｃ  Ｄａｔａ  Ｉｎｔｅｒｃｈａｎｇｅ）データ、図４及び図５はＥＤＩデータを注文情報データに変換するための注文情報データ変換テーブル、図６はＥＤＩデータから変換された注文情報データ、図７は登録された発注元の一覧を示す発注元コードテーブル、図８は登録された受注者の事業部の一覧を示す事業部コードテーブル、図９は登録された品番の一覧を示す品番コードテーブル、図１０は直結／非直結を振り分けるための注文情報データ振分テーブル、図１１は直結とされた注文情報データの分配先一覧を示す直結注文情報データ分配テーブル、図１２は非直結とされた注文情報データの分配先一覧を示す非直結注文情報データ分配テーブルを示している。
【００２９】
なお、ここで言う直結とは、注文情報データを、工場等の生産を行う事業部に直接伝送することを示し、非直結とは、営業所等の営業を行う事業部に対して伝送することを示すものである。
【００３０】
本発明の注文情報振り分けシステムのハードウェア構成は、図１によると、複数の発注元４０１、４０２、・・・４０ｘに各々設置された発注元端末４１１、４１２、・・・４１ｘと、注文情報振り分けシステムを実現する受注者のホストコンピュータ１０と、受注者の複数の事業部２０１、２０２、２０３、２０４、２０５に各々設置された事業部端末２１１、２１２、２１３、２１４、２１５と、ホストコンピュータ１０と発注元端末４１１、４１２、・・・４１ｘとを接続するネットワーク３０とから概略構成されている。
【００３１】
なお、この実施例においては、便宜上、事業部端末を２１１、２１２、２１３、２１４、２１５の５台としているが、事業部端末の台数はこれに限定されるものではない。
【００３２】
本発明は、このハードウェア構成を利用して、発注元端末４１１、４１２、・・・４１ｘからネットワーク３０を介して、ＥＤＩデータとして伝送される注文情報を、ホストコンピュータ１０で処理した後に受注者の各事業部に設置された事業部端末２１１、２１２、２１３、２１４、２１５で受信することにより、注文情報振り分けシステムを実現している。
【００３３】
また、この図１で示される事業部２０１、２０２、２０３、２０４、２０５のうち、事業部２０１、２０３、２０５は、工場等の生産を行う事業部を示している。また、事業部２０２、２０４は、営業所等の営業を行う事業部を示している。なお、事業部２０２、２０４のような営業を行う事業部は、電話やファクシミリ等を用いて発注元と日常的に連絡を取り合っており、発注元からの製品に対する問い合わせへの応答や、新規発注元からの製品取り寄せ依頼への対応や、生産に時間がかかる製品を在庫として保有することでの発注への対応等を行っている。
【００３４】
なお、図１の事業部２０２から事業部２０１、２０３への破線矢印は、事業部２０１、２０３で生産している生産時間がかかる製品を、事業部２０２で在庫として保有するための電子情報や電話等での連絡を示しており、事業部２０２は、発注元からの生産時間がかかる製品の急な発注に備えて、在庫を保有する役目を果たしている。また、事業部２０２から事業部２０１、２０３への破線矢印は、特定の発注元が常時使用する製品の問い合わせに対する電子情報や電話等での製品の発注の連絡も示しており、事業部２０２は、特定の発注元の営業担当として、その特定の発注元が常時使用する製品発注の便宜を図る業務を行っている。
【００３５】
さらにまた、図１の事業部２０４から事業部２０１、２０３、２０５への破線矢印は、発注元からの製品の問い合わせに対する電子情報や電話等での製品の発注の連絡を示しており、事業部２０４は、いわゆる営業としての発注元の便宜を図る業務を行っている。
【００３６】
図２は、本発明の注文情報振り分けシステムにおける注文情報データの流れを示す機能ブロック図である。図２において、ネットワーク３０を介して発注元端末４１１、４１２、・・・４１ｘから伝送されたＥＤＩデータは、ホストコンピュータ１０で受信される。
【００３７】
ホストコンピュータ１０は、ＥＤＩデータを受信して記憶するＥＤＩデータ受信部１０１と、ＥＤＩデータを注文情報データに変換するために参照する注文情報データ変換テーブル１１１と、ＥＤＩデータ受信部１０１から送られたＥＤＩデータを注文情報データ変換テーブル１１１を元に注文情報データへ変換する注文情報データ変換部１０２と、注文情報データ変換部１０２で変換された注文情報データを保管する注文情報データ記憶部１０３と、発注元の情報を登録する発注元コードテーブル１１２と、受注者の事業部コードを登録する事業部コードテーブル１１３と、品番コードを登録する品番コードテーブル１１４と、注文情報データの発注元コードと事業部コードと品番コードと直結／非直結を関連付けした注文情報データ振分テーブル１１５と、注文情報データを注文情報データ振分テーブル１１５を参照して直結／非直結のどちらかに振り分ける注文情報データ振分部１０４と、直結の事業部がどこに該当するかを登録する直結注文情報データ分配テーブル１１６と、非直結の事業部コードがどこに該当するかを登録する非直結注文情報データ分配テーブル１１７と、直結として振り分けられた注文情報データを直結注文情報データ分配テーブル１１６を参照して分配する直結注文情報データ分配部１０５と、非直結として振り分けられた注文情報データを非直結注文情報データ分配テーブル１１５を参照して分配する非直結注文情報データ分配部１０６とから概略構成されている。
【００３８】
図３は、本発明の注文情報振り分けシステムにおいて、発注元から伝送されるＥＤＩデータの一例であり、日本電子機械工業会（ＥＩＡＪ）の定める標準ＥＤＩフォーマットとして標準化されているものを使用している。
【００３９】
図３のように、このＥＤＩデータは、図示する発注者企業コード、受注者企業コード、品番を示す品番コード、注文番号を示す注文番号コード、発注日を示す発注日コードと、図示しない発注数、単価、納品希望日等のデータからなっている。
【００４０】
図３において、例えばＥＤＩデータ（１）は、発注者企業コード「Ａ１２３４Ｃ」の発注元が受注者企業コード「Ｘ１０１２Ａ」の受注者に品番コード「ＴＲ１３」の製品を注文コード「００５６」で「２００４年５月１０日」に発注したことを示している。
【００４１】
図４は、発注元から伝送されるＥＤＩデータの中の発注者企業コードを、本発明の注文情報振り分けシステムで使用する発注元コードへ変換するために参照する変換テーブルを示している。図４において、例えば発注者企業コードが「Ａ１２３４Ｃ」及び「Ａ１２３４Ｈ」の発注元は、本発明の注文情報振り分けシステムでの発注元コードが「１２３４」となることを示している。
【００４２】
図５は、発注元から伝送されるＥＤＩデータの中の受注者企業コードを、本発明の注文情報振り分けシステムで使用する受注者の事業部ごとの事業部コードへ変換するために参照する変換テーブルを示している。図５において、受注者企業コード「Ｘ１０１２Ａ」、「Ｘ１０１２Ｃ」、「Ｘ１０１２Ｅ」、「Ｘ１０１２Ｙ」、「Ｘ１０１２Ｚ」の受注者は、本発明の注文情報振り分けシステムを利用する企業であり、例えば、受注者企業コード「Ｘ１０１２Ａ」は、当該企業の事業部コードが「２０１」であることを示している。
【００４３】
なお、本発明の注文情報振り分けシステムでは、品番をそのまま品番コードとして使用しているが、図４または図５のように、変換テーブルを用いて任意の品番コードに変換しても良い。
【００４４】
図６は、ＥＤＩデータが注文情報データ変換部１０２で変換された後の注文情報データを示している。例えば、図６の注文情報データ（１）は、発注元コードが「１２３４」、事業部コードが「２０１」、品番コードが「ＴＲ１３」であることを示している。
【００４５】
なお、図６において、注文情報データには、発注元コード、事業部コード、品番コードのみが示されているが、その他の注文番号、発注日、発注数、単価、納品希望日等のデータも注文情報データの中に記録されている。
【００４６】
また、図６において、「＊」で示す発注元コード、事業部コード、品番コードは、テーブル登録担当者のミス、発注元のコード間違え、ＥＤＩデータから注文情報データへ変換する際のデータエラー、該当する発注者企業コード、受注者企業コード、品番がなかった等、何らかの理由で読み取り不可能であった情報を示している。
【００４７】
図７は、後に詳細に説明する注文情報振分部１０４での振り分け判断に用いる関連情報としての発注元の情報を登録する発注元コードテーブル１１２を示している。図７では、発注元として、「１２３４」、「５６７８」、「９０１２」の発注元コードが登録されており、例えば、発注元コード「１２３４」は、名称「凸凹電気工業株式会社」、住所「大阪市北区大淀中＊−＊−＊＊」、郵便番号「５５３−＊＊＊＊」であることを示している。
【００４８】
図８は、後に詳細に説明する注文情報振分部１０４での振り分け判断に用いる関連情報としての受注者の事業部コードを登録する事業部コードテーブル１１３を示している。図８の例では、受注者として、「２０１」、「２０３」、「２０５」の事業部コードが登録されており、例えば、事業部コード「２０１」は、名称「△電業株式会社  Ａ事業部」、住所「大阪府門真市竹生＊＊」、郵便番号「５７１−＊＊＊＊」であることを示している。
【００４９】
図９は、後に詳細に説明する注文情報振分部１０４での振り分け判断に用いる関連情報としての品番コードを登録する品番コードテーブル１１４を示している。図９の例では、品番として、「ＴＲ１３」、「ＥＺ４６」、「ＰＡ３５」の品番コードが登録されており、例えば、品番コード「ＴＲ１３」は、基本単価「３００」円、最小受注数量「１０００」個、最小納入数量「１００」個、カテゴリーコード「０１」であることを示している。
【００５０】
図１０は、注文情報データ変換部１０２から注文情報データ記憶部１０３を介して注文情報データ振分部１０４へ送られた注文情報データが、直結／非直結のどちらに該当するものであるかを判断するための注文情報データ振分テーブル１１５を示している。
【００５１】
この注文情報データ振分テーブル１１５は、注文情報データのデータ内で直結／非直結の振り分けに関わる関連情報である発注元コード、事業部コード、品番コードに立てられるようになっている「０」または「１」のフラグとを比較するためのものである。注文情報データ振分部１０４は、この注文情報データ振分テーブル１１５に登録された発注元コード、事業部コード、品番コードのフラグの組み合わせと、注文情報データの発注元コード、事業部コード、品番コードのフラグの組み合わせを比較して、当該注文情報データが直結／非直結のどちらに振り分けられるものであるかを判断する。
【００５２】
なお、この注文情報データ振分テーブル１１５の発注元コードの欄に設定されるフラグ「０」とは、図７に示す発注元コードテーブルに発注元コードが登録されている場合を示し、フラグ「１」とは、発注元コードテーブルに発注元コードが登録されていない場合を示している。同様に、事業部コードの欄に設定されるフラグ「０」とは、図８に示す事業部コードテーブルに事業部コードが登録されている場合を示し、フラグ「１」とは、事業部コードテーブルに事業部コードが登録されていない場合を示している。また同様に、品番コードの欄に設定されるフラグ「０」とは、図９に示す品番コードテーブルに品番コードが登録されている場合を示し、フラグ「１」とは、品番コードテーブルに品番コードが登録されていない場合を示している。
【００５３】
また、この注文情報データ振分テーブル１１５において、発注元コード、事業部コード、品番コードのフラグの全てが「０」の組み合わせは、これらのコードの全てが発注元コードテーブル、事業部コードテーブル、品番コードテーブルに登録されている場合を示しており、発注元コード、事業部コード、品番コードの全てにフラグ「０」が立っている注文情報データが工場等の生産を行う事業部に直接伝送される直結の注文情報データとして扱われることを示している。
【００５４】
また、この注文情報データ振分テーブル１１５において、発注元コード、事業部コード、品番コードのフラグの少なくとも１つが「１」の組み合わせは、これらのコードのうち、少なくとも１つが発注元コードテーブル、事業部コードテーブル、品番コードテーブルに登録されていない場合を示しており、発注元コード、事業部コード、品番コードの少なくとも１つにフラグ「１」が立っている注文情報データが営業所等の営業を行う事業部に伝送される非直結の注文情報データとして扱われることを示している。
【００５５】
図１１は、直結と判断された注文情報データの分配先一覧を示す直結注文情報データ分配テーブル１１６を示している。この図１１において、例えば、直結と判断された注文情報データのうち、品番コードが「ＴＲ１３」で、事業部コード「２０１」である注文情報データは、直結分配先として事業部「２０１」へ分配されることを示している。
【００５６】
なお、この直結注文情報データ分配テーブル１１６で示される事業部コード「２０１」、「２０３」、「２０５」は、図１での説明のとおり、工場等の生産を行う事業部を示している。
【００５７】
なお、本発明の注文情報振り分けシステムにおいては、事業部コード「２０１」の事業部は品番コード「ＴＲ１３」の生産を、事業部コード「２０３」の事業部は品番コード「ＥＺ４６」の生産を、事業部コード「２０５」の事業部は品番コード「ＰＡ３５」の生産を行っていると仮定している。よって、図１１の直結注文情報データ分配テーブル１１６は、当該事業部で生産している品番の品番コードを関連付けして登録するので、例えば、品番コード「ＴＲ１３」は、直結分配先として事業部コード「２０１」の事業部が登録されている。
【００５８】
このように、直結と判断された注文情報データは、営業を行う営業所等を介さずに直接生産を行う工場等へデータが送られるので、営業所等が発注者と工場等を仲立ちすることによる時間的なロスや、営業所等から工場へ製品を発注する際の人為的ミスをなくすことが可能であり、必要な複数種類の製品を必要な数量のみ決められた短い時間内で発注元へ納品することが可能となる。
【００５９】
また、直結と判断された注文情報データのうち、図１１の直結注文情報データ分配テーブル１１６に登録されていない注文情報データは、該当する直結分配先がない非直結の注文情報データとして判断され、非直結注文情報データ分配部１１７へ送られる。
【００６０】
図１２は、非直結と判断された注文情報データの分配先一覧を示す非直結注文情報データ分配テーブル１１７を示している。なお、この非直結注文情報データ分配テーブル１１７で非直結分配先として示される事業部コード「２０２」、「２０４」は、図１での説明のとおり、営業所等の営業を行う事業部を示している。また、「品番コード」、「事業部コード」、「発注元コード」の欄で「＊」で示される部分は、テーブル登録担当者のミス、発注元のコード間違え、ＥＤＩデータから注文情報データへ変換する際のデータエラー、該当する発注者企業コード、受注者企業コード、品番がなかった等により、発注元コード、事業部コード、品番コードに変換されなかったコードを示している。なお、図１２では、発注元コード、事業部コード、品番コードの組み合わせの一部を記載し、省略部分を図中波線にて記載している。
【００６１】
なお、事業部コード「２０２」の事業部は、本発明の注文情報振り分けシステムにおいて、生産に時間がかかる製品「ＸＹ２０」「ＥＺ４６」を在庫として保有することでの発注への対応等と、発注元コード「５６７８」の発注元が常時使用する製品「ＴＲ１３」「ＥＺ４６」の営業担当として、発注元コード「５６７８」の発注元が常時使用する製品発注の便宜を図る業務を行っている。
【００６２】
また、事業部コード「２０４」の事業部は、本発明の注文情報振り分けシステムにおいて、発注元からの製品の問い合わせに応じて、事業部コード「２０１」、「２０３」、「２０５」の事業部へ、電子情報や電話等により製品の発注等を行なったり、発注元コードテーブル１１２、事業部コードテーブル１１３、品番コードテーブル１１４に登録されていないコードがあった場合に、テーブル登録担当者のミスであるのか、発注元のコード間違えであるのか等の原因を調査したり、新規取引先に対する発注元の手助けをしたりするいわゆる営業としての発注元の便宜を図る業務を行っている。
【００６３】
このような事業部コード「２０２」、「２０４」へ注文情報データを分配するためのため非直結注文情報データ分配テーブル１１７の１番目の欄には、品番コードが品番コードテーブル１１４に登録されている「ＴＲ１３」で、事業部コードが事業部コードテーブル１１３に登録されている「２０１」で、発注元コードが発注元コードテーブル１１２に登録されていない「３４５６」である注文情報データの分配先が登録されている。この１番目の欄に該当する注文情報データは、本来であれば事業部「２０１」で製造している品番「ＴＲ１３」の製品の発注であり直結の注文情報データとして扱う注文情報データであるが、この注文情報データの発注元コード「３４５６」の発注元が営業所の手助けを必要とする新規取引先であるので発注元コードテーブル１１２に登録されていないため、後に詳細に説明する注文情報データ振分部１０４で注文情報データ振分テーブル１１５に基づき非直結注文情報データ分配部１０６に送られてきた注文情報データである。このため、非直結注文情報データ分配テーブル１１７には、この注文情報データがいわゆる営業としての発注元の便宜を図る業務を行っている事業部コード「２０４」の事業部へ送られるように登録されている。
【００６４】
また、非直結注文情報データ分配テーブル１１７の６番目の欄には、品番コードが品番コードテーブル１１４に登録されている「ＴＲ１３」で、事業部コードが事業部コードテーブル１１３に登録されている「２０３」で、発注元コードが発注元コードテーブル１１２に登録されている「１２３４」という、全てが各々のテーブルに登録されている注文情報データの分配先が登録されている。しかし、この６番目の欄に該当する注文情報データは、事業部「２０３」で製造されていない品番コード「ＴＲ１３」の製品の発注であるため、後に詳細に説明する直結注文情報データ分配部１０５で直結注文情報データ分配テーブル１１６に基づき非直結注文情報データ分配部１０６に送られてきた注文情報データである。このため、非直結注文情報データ分配テーブル１１７には、この注文情報データがいわゆる営業としての発注元の便宜を図る業務を行っている事業部コード「２０４」の事業部へ送られるように登録されている。
【００６５】
さらにまた、非直結注文情報データ分配テーブル１１７の１１番目の欄には、品番コードが品番コードテーブル１１４に登録されている「ＴＲ１３」で、事業部コードが製造を行なっていない営業担当の事業部であるために事業部コードテーブル１１３に登録されていない「２０４」で、発注元コードが発注元コードテーブル１１２に登録されている「５６７８」である注文情報データの分配先が登録されている。この１１番目の欄に該当する注文情報データは、後に詳細に説明する注文情報データ振分部１０４で注文情報データ振分テーブル１１５に基づき非直結注文情報データ分配部１０６に送られてきた注文情報データである。また、この１１番目の欄に該当する注文情報データは、発注元コード「５６７８」の発注元が常時使用する品番コード「ＴＲ１３」の製品の発注であり、事業部２０２が営業担当として製品発注の便宜を図る業務を行う注文情報データである。このため、非直結注文情報データ分配テーブル１１７には、この注文情報データが特定の発注元の営業担当として、その特定の発注元が常時使用する製品発注の便宜を図る業務を行なっている事業部コード「２０２」の事業部へ送られるように登録されている。
【００６６】
なおまた、非直結注文情報データ分配テーブル１１７の１８番目の欄には、品番コードが品番コードテーブル１１４に登録されていない「ＸＹ２０」で、事業部コードが事業部コードテーブル１１３に登録されている「２０１」で、発注元コードが発注元コードテーブル１１２に登録されている「１２３４」である注文情報データの分配先が登録されている。この１８番目の欄に該当する注文情報データは、後に詳細に説明する注文情報データ振分部１０４で注文情報データ振分テーブル１１５に基づき非直結注文情報データ分配部１０６に送られてきた注文情報データである。また、この１８番目の欄に該当する注文情報データは、事業部２０１で生産している生産時間がかかる製品である品番コード「ＸＹ２０」であり、事業部２０２が発注元からの急な発注に備えて在庫を保有している製品に対する注文情報データである。このため、非直結注文情報データ分配テーブル１１７には、この注文情報データが在庫を保有する役目の事業部コード「２０２」の事業部へ送られるように登録されている。
【００６７】
さらにまた、非直結注文情報データ分配テーブル１１７の１３番目、２０番目、２６番目の欄には、品番コード、事業部コード、発注元コードのうちのいずれかが「＊」である注文情報データの分配先が登録されている。これらの１３番目、２０番目、２６番目の欄に該当する注文情報データは、後に詳細に説明する注文情報データ振分部１０４で注文情報データ振分テーブル１１５に基づき非直結注文情報データ分配部１０６に送られてきた注文情報データである。これらの１３番目、２０番目、２６番目の欄に該当する注文情報データは、この注文情報データの「＊」が、発注元コード、事業部コード、品番コードが、テーブル登録担当者のミス、発注元のコード間違え、ＥＤＩデータから注文情報データへ変換する際のデータエラー、該当する発注者企業コード、受注者企業コード、品番がなかった等の原因を調査して発注元やテーブル登録担当者等に連絡を行なわなければならない注文情報データである。このため、非直結注文情報データ分配テーブル１１７には、これらの注文情報データが、その内容を確認することで発注元の便宜を図る営業担当の事業部である事業部コード「２０４」へ送られるように登録されている。
【００６８】
次に図２乃至図１２を用いて、発注者から伝送されたＥＤＩデータが、受注者のホストコンピュータで注文情報データに変換されて各事業部に送られる手順を具体的に説明する。
【００６９】
発注者の発注元端末４１１、４１２、・・・４１ｘのいずれかから伝送されたＥＤＩデータ（１）は、ホストコンピュータ１０のＥＤＩデータ受信部１０１で受信され、注文情報データ変換部１０２に送られる。
【００７０】
注文情報データ変換部１０２に送られたＥＤＩデータ（１）は、注文情報データ変換テーブル１１１により、発注者企業コード「Ａ１２３４Ｃ」が発注元コード「１２３４」へ変換されると共に、受注者企業コード「Ｘ１０１２Ａ」が事業部コード「２０１」へ変換され、注文情報データ（１）として注文情報データ記憶部１０３に送られる。
【００７１】
同様に、ＥＤＩデータ受信部１０１で受信されＥＤＩデータ（２）は、注文情報データ変換部１０２に送られて、注文情報データ変換テーブル１１１により、発注者企業コード「Ａ１２３４Ｃ」が発注元コード「１２３４」へ変換されると共に、受注者企業コード「Ｘ１０１２Ｃ」が事業部コード「２０２」へ変換されて、注文情報データ（４）として注文情報データ記憶部１０３に送られる。
【００７２】
また同様に、ＥＤＩデータ受信部１０１で受信されＥＤＩデータ（３）は、注文情報データ変換部１０２に送られた後に、注文情報データ変換テーブル１１１により、発注者企業コード「Ｆ３４５６Ｈ」が発注元コード「３４５６」へ変換されると共に、受注者企業コード「Ｘ１０１２Ｙ」が事業部コード「２０４」へ変換されて、注文情報データ（６）として注文情報データ記憶部１０３に送られる。
【００７３】
さらに同様に、ＥＤＩデータ受信部１０１で受信されＥＤＩデータ（４）は、注文情報データ変換部１０２に送られた後に、注文情報データ変換テーブル１１１により、発注者企業コード「Ｇ３４５６Ｋ」が発注元コード「３４５６」へ変換されると共に、受注者企業コード「Ｘ１０１２Ａ」が事業部コード「２０１」へ変換されて、注文情報データ（１２）として注文情報データ記憶部１０３に送られる。
【００７４】
このようにＥＤＩデータ注文情報データ（１）、（２）、（３）、（４）は、注文情報データ変換部１０２で注文情報データ（１）、（４）、（６）、（１２）に各々変換され、注文情報データ記憶部１０３で保管された後に注文情報データ振分部１０４に送られる。
【００７５】
図６は、ＥＤＩデータ（１）、（２）、（３）、（４）の各々が注文情報テーブル１１１により注文情報データ（１）、（４）、（６）、（１２）に変換されたのと同様に、発注者の発注元端末４１１、４１２、・・・４１ｘから伝送された様々なＥＤＩデータが注文情報データ（１）〜（１２）に変換された例を示している。
【００７６】
これらの注文情報データ（１）〜（１２）は、注文情報データ記憶部１０３で保管された後に注文情報データ振分部１０４に送られて、受注者の中で最適な事業部に振り分けられる。
【００７７】
また、図６において、「＊」で示す発注元コード、事業部コード、品番コードは、テーブル登録担当者のミス、発注元のコード間違え、ＥＤＩデータから注文情報データへ変換する際のデータエラー、該当する発注者企業コード、受注者企業コード、品番がなかった等の何らかの理由で読み取り不可能であった情報を示している。
【００７８】
注文情報データ振分部１０４に送られた注文情報データ（１）〜（１２）が直結／非直結のどちらに該当するデータであるかを判断するために、最初に、注文情報データ振分部１０４は、当該注文情報データ内の発注元コード、事業部コード、品番コードが読み取り可能であるか、即ち、ＥＤＩデータ受信部１０１で受信されたＥＤＩデータの発注者企業コード、受注者企業コード、品番に異常がなかったかを確認する。
【００７９】
次に、注文情報データ振分部１０４は、当該注文情報データ内の発注元コード、事業部コード、品番コードが、発注元コードテーブル１１２、事業部コードテーブル１１３、品番コードテーブル１１４に登録されているかを参照する。この結果、当該注文情報データ内の発注元コード、事業部コード、品番コードが読み取り可能であり、かつ、発注元コードテーブル１１２、事業部コードテーブル１１３、品番コードテーブル１１４に登録されている場合には、その発注元コード、事業部コード、品番コードに「登録されている」ことを示すフラグ「０」を立て、登録されていない場合には発注元コード、事業部コード、品番コードに「登録されていない」ことを示すフラグ「１」を立てる。
【００８０】
さらに、注文情報データ振分部１０４は、当該注文情報データのフラグの立ちかたの組み合わせと、注文情報データ振分テーブル１１５のフラグの組み合わせとを比較し、当該注文情報データが直結／非直結のどちらに該当する注文情報データであるかを判断する。
【００８１】
最後に注文情報データ振分部１０４は、直結であると判断された注文情報データを直結注文情報データ分配部１０５に送り、非直結であると判断された注文情報データを非直結注文情報データ分配部１０６に送る。
【００８２】
具体的には、注文情報データ（１）の発注元コード「１２３４」は発注元コードテーブル１１２に登録されているので、「登録されている」ことを示すフラグ「０」が立てられる。同様に、事業部コード「２０１」は事業部コードテーブル１１３に登録されているので「登録されている」ことを示すフラグ「０」を立てられ、品番コード「ＴＲ１３」は品番コードテーブル１１４に登録されているので「登録されている」ことを示すフラグ「０」を立てられる。この結果、注文情報データ振分部１０４は、注文情報データ（１）のフラグの組み合わせである発注元コード「０」、事業部コード「０」、品番コード「０」と、注文情報データ振分テーブル１１５と比較し、注文情報データ（１）が直結に振り分けられる注文情報データであると判断し、注文情報データ（１）を直結注文情報データ分配部１０５へ送る。
【００８３】
同様に、注文情報データ（２）、（３）、（７）、（１１）の発注元コード、事業部コード、品番コードのフラグも全て「０」となる。よって、注文情報データ振分部１０４は、注文情報データ（２）、（３）、（７）、（１１）を直結注文情報データ分配部１０５へと送る。
【００８４】
また、注文情報データ（４）の発注元コード「１２３４」は発注元コードテーブル１１２に登録されているので「登録されている」ことを示すフラグ「０」が立てられる。また、事業部コード「２０２」は事業部コードテーブル１１３に登録されていないので「登録されていない」ことを示すフラグ「１」が立てられ、品番コード「ＸＹ２０」は品番コードテーブル１１４に登録されていないので「登録されていない」ことを示すフラグ「１」が立てられる。
この結果、注文情報データ振分部１０４は、注文情報データ（４）のフラグの組み合わせである発注元コード「０」、事業部コード「１」、品番コード「１」と、注文情報データ振分テーブル１１５と比較し、注文情報データ（４）が非直結に振り分けられる注文情報データであると判断し、注文情報データ（４）を非直結注文情報データ分配部１０６へ送る。
【００８５】
同様に、注文情報データ（５）、（６）、（１２）の発注元コード、事業部コード、品番コードのフラグは、各々の発注元コード、事業部コード、品番コードのフラグのうちの少なくともいずれか一つが「１」となる。よって、注文情報データ振分部１０４は、注文情報データ（５）、（６）、（１２）を非直結注文情報データ分配部１０６へと送る。
【００８６】
また、注文情報データ（８）の発注元コードは何らかの理由で読み取り不可能であったため「＊」となっているので、注文情報データ（８）の発注元コードは発注元コードテーブル１１２に登録されていないこととなり、「登録されていない」ことを示すフラグ「１」が立てられる。また、事業部コード「２０３」は事業部コードテーブル１１３に登録されているので「登録されている」ことを示すフラグ「０」が立てられ、品番コード「ＥＺ４６」は品番コードテーブル１１４に登録されているので「登録されている」ことを示すフラグ「０」が立てられる。この結果、注文情報データ振分部１０４は、注文情報データ（８）のフラグの組み合わせである発注元コード「１」、事業部コード「０」、品番コード「０」と、注文情報データ振分テーブル１１５と比較し、注文情報データ（８）が非直結に振り分けられる注文情報データであると判断し、注文情報データ（８）を非直結注文情報データ分配部１０６へ送る。
【００８７】
同様に、注文情報データ（９）、（１０）の事業部コード、品番コードのフラグは、各々の事業部コード、品番コードのフラグのうちの少なくともいずれか一つが「１」となる。よって、注文情報データ振分部１０４は、注文情報データ（９）、（１０）を非直結注文情報データ分配部１０６へと送る。
【００８８】
次に、直結注文情報データ分配部１０５へと送られた注文情報データ（１）、（２）、（３）、（７）、（１１）が、どの事業部へ送られるデータであるかを判断するために、直結注文情報データ分配部１０５は、当該注文情報データ内の品番コードと事業部コードの組み合わせが、直結注文情報データ分配テーブル１１６に登録されているかを比較する。その結果、当該注文情報データ内の品番コードと事業部コードの組み合わせが、直結注文情報データ分配テーブル１１６に登録されている場合には該当する直結分配先の事業部へ注文情報データを送り、登録されていない場合には非直結注文情報データ分配部１０６へデータを送る。
【００８９】
具体的には、直結注文情報データ分配部１０５は、注文情報データ（１）の品番コード「ＴＲ１３」と事業部コード「２０１」との組み合わせが直結注文情報データ分配テーブル１１６に登録されていることを判断し、この組み合わせが直結注文情報データ分配テーブル１１６に事業部コード「２０１」と登録されていることを判断し、注文情報データ（１）を事業部２０１の事業部端末２１１へ送る。
【００９０】
また、直結注文情報データ分配部１０５は、注文情報データ（２）の品番コード「ＥＺ４６」と事業部コード「２０３」との組み合わせが直結注文情報データ分配テーブル１１６に登録されていることを判断し、この組み合わせが、直結注文情報データ分配テーブル１１６に事業部コード「２０３」と登録されていることを判断し、注文情報データ（２）を事業部２０３の事業部端末２１３へ送る。
【００９１】
またさらに、直結注文情報データ分配部１０５は、注文情報データ（３）の品番コード「ＰＡ３５」と事業部コード「２０５」との組み合わせが直結注文情報データ分配テーブル１１６に登録されていることを判断し、この組み合わせが、直結注文情報データ分配テーブル１１６に事業部コード「２０５」と登録されていることを判断し、注文情報データ（３）を事業部２０５の事業部端末２１５へ送る。
【００９２】
また、直結注文情報データ分配部１０５は、注文情報データ（７）の品番コード「ＴＲ１３」と事業部コード「２０３」との組み合わせが直結注文情報データ分配テーブル１１６に登録されていないことを判断し、注文情報データ（７）を非直結注文情報データ分配部１０６へ送る。
【００９３】
なおまた、直結注文情報データ分配部１０５は、注文情報データ（１１）の品番コード「ＴＲ１３」と事業部コード「２０１」との組み合わせが直結注文情報データ分配テーブル１１６に登録されていることを判断し、この組み合わせが、直結注文情報データ分配テーブル１１６に事業部コード「２０１」と登録されていることを判断し、注文情報データ（１１）を事業部２０１の事業部端末２１１へ送る。
【００９４】
以上のように、注文情報データ（１）、（１１）は事業部２０１の事業部端末２１１へ送られ、注文情報データ（２）は事業部２０３の事業部端末２１３へ送られ、注文情報データ（３）は事業部２０５の事業部端末２１５へ送られて、各々の事業部で注文内容が確認される。また、注文情報データ（７）は非直結注文情報データ分配部１０６へと送られて、改めてどの事業部に送られるかを判断される。
【００９５】
非直結注文情報データ分配部１０６は、注文情報データ振分部１０４から送られた注文情報データ（４）、（５）、（６）、（８）、（９）、（１０）、（１２）と、直結注文情報データ分配部１０５から送られた注文情報データ（７）とが、どの事業部へ送られる注文情報データであるかを判断する。このために、非直結注文情報データ分配部１０６は、当該注文情報データ内の品番コードと事業部コードと発注元コードとの組み合わせを非直結注文情報データ分配テーブル１１６と比較して、該当する非直結分配先へ注文情報データを送る。
【００９６】
具体的には、非直結注文情報データ分配部１０６は、注文情報データ（４）の品番コード「ＸＹ２０」と事業部コード「２０２」と発注元コード「１２３４」との組み合わせが非直結注文情報分配テーブル１１７に事業部コード２０２と登録されていることを判断し、注文情報データ（４）を事業部２０２の事業部端末２１２へ送る。
【００９７】
同様に、非直結注文情報データ分配部１０６は、注文情報データ（９）の品番コード「ＸＹ２０」と事業部コード「＊」と発注元コード「９０１２」との組み合わせが非直結注文情報分配テーブル１１７に事業部コード２０２と登録されていることを判断し、注文情報データ（９）を事業部２０４の事業部端末２１４へ送る。
【００９８】
また、非直結注文情報データ分配部１０６は、注文情報データ（１２）の品番コード「ＸＹ２０」と事業部コード「２０１」と発注元コード「３４５６」との組み合わせが非直結注文情報分配テーブル１１７に事業部コード２０２と登録されていることを判断し、注文情報データ（１２）を事業部２０２の事業部端末２１２へ送る。
【００９９】
なお、品番コード「ＸＹ２０」の製品は、生産に時間がかかる製品であるので、事業部２０２が在庫として保有することでの発注元からの発注への対応等を行っている。このため、非直結注文情報データ分配テーブル１１７は、品番コードが「ＸＹ２０」である製品の注文情報データは、原則として事業部コード「２０２」の事業部に振り分けられるように登録されている。しかし、上記の注文情報データ（９）のように、品番コード、事業部コード、発注元コードのいずれかが読み取れない注文情報データにおいては、読み取れなかった原因を調査して発注元やテーブル登録担当者等に連絡を行なわなければならず、非常に手間がかかる。このため、この非直結注文情報データ分配テーブル１１７では、営業所として事業部２０２と２０４のうち、より発注元の便宜を図る業務を行っている事業部２０４を設定している。このように、本発明の注文情報振り分けシステムでは、非直結注文情報データ分配テーブル１１７の変更により、特定の営業所に注文情報データを送ることが可能である。
【０１００】
同様に、非直結注文情報データ分配部１０６は、注文情報データ（８）の品番コード「ＥＺ４６」と事業部コード「２０３」と発注元コード「＊」との組み合わせが非直結注文情報分配テーブル１１７に事業部コード２０４と登録されていることを判断し、注文情報データ（８）を事業部２０４の事業部端末２１４へ送る。
【０１０１】
また、非直結注文情報データ分配部１０６は、注文情報データ（１０）の品番コード「＊」と事業部コード「２０４」と発注元コード「３４５６」との組み合わせが非直結注文情報分配テーブル１１７に事業部コード２０４と登録されていることを判断し、注文情報データ（１０）を事業部２０４の事業部端末２１４へ送る。
【０１０２】
この注文情報データ（８）、（１０）のように、品番コード、事業部コード、発注元コードのいずれかが読み取れない注文情報データにおいては、読み取れなかった原因を調査して発注元やテーブル登録担当者等に連絡を行なわなければならないので、この非直結注文情報データ分配テーブル１１７では、営業所として事業部２０２と２０４のうち、より発注元の便宜を図る業務を行っている事業部２０４を設定している。
【０１０３】
また、非直結注文情報データ分配部１０６は、注文情報データ（５）の品番コード「ＴＲ１３」と事業部コード「２０４」と発注元コード「５６７８」との組み合わせが非直結注文情報分配テーブル１１７に事業部コード２０２と登録されていることを判断し、注文情報データ（５）を事業部２０２の事業部端末２１２へ送る。
【０１０４】
この注文情報データ（５）は、発注元コード「５６７８」の発注元が常時使用する品番コード「ＴＲ１３」の製品の発注であり、事業部２０２が営業担当として製品発注の便宜を図る業務を行う注文情報データである。このため、非直結注文情報データ分配テーブル１１７には、この注文情報データが特定の発注元の営業担当として、その特定の発注元が常時使用する製品発注の便宜を図る業務を行なっている事業部コード「２０２」の事業部へ送られるように登録されている。このように、本発明の注文情報振り分けシステムでは、非直結注文情報データ分配テーブル１１７の変更により、特定の営業所に注文情報データを送ることが可能である。
【０１０５】
さらに、非直結注文情報データ分配部１０６は、注文情報データ（６）の品番コード「ＥＺ４６」と事業部コード「２０４」と発注元コード「３４５６」との組み合わせが非直結注文情報分配テーブル１１７に事業部コード２０４と登録されていることを判断し、注文情報データ（６）を事業部２０４の事業部端末２１４へ送る。
【０１０６】
この注文情報データ（６）における発注元コード「３４５６」の発注元は、営業所が手助けを必要とする新規取引先である。このため、発注元コード「３４５６」の注文情報データは、いわゆる営業としての発注元の便宜を図ることができるように、事業部２０４が非直結注文情報分配テーブル１１７に登録されている。このように、事業部２０４は、営業として発注元の便宜を図るための発注元への確認や、注文情報データ（６）の事業部コードが「２０４」となった原因を調べることが可能であり、本発明の注文情報振り分けシステムでは、注文情報データ上の品番コード・事業部コード・発注元コードの情報から求められる最も適した事業部に、注文情報データを伝送することが可能である。
【０１０７】
なおまた、非直結注文情報データ分配部１０６は、注文情報データ（７）の品番コード「ＴＲ１３」と事業部コード「２０３」と発注元コード「１２３４」との組み合わせが非直結注文情報分配テーブル１１７に事業部コード２０４と登録されていることを判断し、注文情報データ（７）を事業部２０４の事業部端末２１４へ送る。
【０１０８】
この注文情報データ（７）は、本来、品番コード「ＴＲ１３」の製品を生産している事業部コード２０１へ送られるものである。また、注文情報データ（７）は、一度直結注文情報データ分配部１０５へ送られながら、非直結注文情報データ分配部１０６へ送られた注文情報データである。このように、本発明の注文情報振り分けシステムでは、発注元コードテーブルと事業部コードテーブルと品番コードテーブルとのすべてに登録されたエラーのない注文情報データであっても、該当する工場としての事業所に送れないために営業所に注文情報データを送りたい場合には、直結注文情報データ分配テーブルに登録しないことにより、営業所に注文情報データを送ることができる。また、テーブル登録担当者のミスで直結注文情報データ分配テーブルに漏れがあった場合や、発注元の入力ミスなどにより該当する直結の注文情報データ分配先がない場合でも、注文情報データでの分配先が決定できるとともに、発注元への確認や、注文情報データ（７）の事業部コードが「２０３」となった原因を調べることが可能である。
【０１０９】
以上のように、注文情報データ（４）、（５）、（１２）は事業部２０２の事業部端末２１２へ送られ、注文情報データ（６）、（７）、（８）、（９）、（１０）は事業部２０４の事業部端末２１４へ送られて、各々の事業部で注文内容が確認される。
【０１１０】
このように、本発明の注文情報振り分けシステムでは、発注元が発注した注文情報のうち、直接工場としての事業部に送られた直結とされた注文情報は、従来のように営業所としての事業部を介すことがないので、営業所が発注元と工場を仲立ちすることによる時間的なロスや、営業所から工場へ製品を発注する際の人為的ミスをなくすことが可能であり、必要な複数種類の製品を必要な数量のみ決められた短い時間内で発注元へ収めることが可能となる。
【０１１１】
また、発注元が発注した注文情報のうち、営業所としての事業部が仲立ちをして工場に送られた非直結とされた注文情報は、生産時間のかかる製品であっても短納期で発注元に収めることが可能であると共に、従来のように、製品の数量・単価等を把握や、製品を工場に対して発注し、発注した製品の納期管理、在庫管理および発注元への納期の連絡等の、いわゆる営業として発注元の便宜を図ることが可能である。
【０１１２】
次に図１３を用いて、本発明の注文情報振り分けシステムにおいて、注文情報データが振り分けられるフローを説明する。
【０１１３】
発注者の発注元端末４１１、４１２、・・・４１ｘから伝送されたＥＤＩデータは、ステップＳ１０でＥＤＩデータ受信部１０１により受信される。
【０１１４】
次に、ＥＤＩデータ受信部１０１により受信されたＥＤＩデータは、ステップＳ１２で、注文情報データ変換部１０２に送られて注文情報データへ変換される。
【０１１５】
次に、注文情報データ変換部１０２でＥＤＩデータより変換された注文情報データは、ステップＳ１４で、注文情報データ記憶部１０３で保管される。
【０１１６】
次に、文情報データ記憶部１０３で保管された注文情報データは、ステップＳ１６で注文情報データ振分部１０４に送られる。
【０１１７】
次に、注文情報データ振分部１０４に送られた注文情報データは、ステップＳ１８で当該注文情報データの発注元コード、事業部コード、品番コードの各々が、関連情報としての、発注元の情報を登録する発注元コードテーブル１１２と受注者の事業部コードを登録する事業部コードテーブル１１３と品番コードを登録する品番コードテーブル１１４に登録された情報であるかを参照されるととともに、当該注文情報データの発注元コード、事業部コード、品番コードのフラグの組み合わせと注文情報データ振分テーブル１１５のフラグの組み合わせとが比較された結果、その全てがフラグ「０」である、即ち全てが登録されていなければ、「ＹＥＳ」に進み、次のステップＳ２０で直結注文情報分配部１０５に送られる。
【０１１８】
次に、直結注文情報分配部１０５に送られた注文情報データは、次のステップＳ２２で該当する直結先があるかを判断され、該当する直結先があれば「ＹＥＳ」に進んで、次のステップＳ２４で直結分配先に送られる。
【０１１９】
また、ステップＳ１８で、当該注文情報データの発注元コード、事業部コード、品番コードのフラグの組み合わせと注文情報データ振分テーブル１１５のフラグの組み合わせとが比較され、少なくともひとつのフラグが「１」である、即ち少なくとも一つが登録されていなければ、「ＮＯ」に進み、次のステップＳ２６で非直結注文情報分配部１０６に送られる。
【０１２０】
なお、ステップＳ２０で直結注文情報分配部１０５に送られた注文情報データのうち、次のステップＳ２２で該当する直結先がないと判断された注文情報データは、「ＮＯ」に進み、次のステップＳ２６で非直結注文情報分配部１０６に送られる。
【０１２１】
次に、ステップＳ２６で非直結注文情報データ分配部１０６に送られた注文情報データは、次のステップＳ２８で、非直結注文情報データ分配テーブルをもとに、該当する営業所等の事業部である非直結分配先に送られる。
【０１２２】
以上のように、本発明の注文情報振り分けシステムを利用することにより、発注元からの注文情報は、発注元が意識しなくとも、受注先の最適な部門へ自動的に送られることになる。
【０１２３】
また、本発明の注文情報振り分けシステムを利用することにより、受注先においても、営業所等を介さずに、直接工場が発注者の注文情報を受け取ることができるので、営業所での納期管理や在庫管理が必要なくなる。
【０１２４】
なお、本実施例では、注文情報データの中の、品番コード・事業部コード・発注元コードを用いて、各情報テーブルと参照した結果を、注文情報分配部にて注文情報振分テーブルと比較することにより、注文情報データを後続処理である直結注文情報分配部もしくは非直結注文情報分配部に分配した後、さらに事業部に分配するという処理を行っているが、注文情報分配部にて直接事業部に分配するような処理にしてもかまわない。
【０１２５】
なお、本実施例で示された動作をプログラムとして構築し、注文情報振り分けシステムとして利用されるコンピュータにインストールする、または、ネットワークを介して流通させることも可能である。
【０１２６】
また、このように構築されたプログラムをハードディスク、フロッピー（登録商標）ディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−Ｒ、ＤＶＤ−ＲＷ、不揮発性のメモリーカードなどの記憶媒体に格納しておき、本発明を実施する際にコンピュータにインストールことにより、容易に本発明を実現できる。
【産業上の利用可能性】
【０１２７】
以上のように、本発明によれば、ネットワークを介してデータを受注する形態において、データを適宜振り分けることができ、電子商取引に有用である。
【図面の簡単な説明】
【０１２８】
【図１】本発明の注文情報振り分けシステムでのハードウェア構成図
【図２】本発明の注文情報振り分けシステムでの注文情報データの流れを示す機能ブロック図
【図３】本発明の注文情報振り分けシステムでの発注者から伝送されるＥＤＩデータを示す図
【図４】本発明の注文情報振り分けシステムでのＥＤＩデータを注文情報データに変換するための注文情報データ変換テーブルを示す図
【図５】本発明の注文情報振り分けシステムでのＥＤＩデータを注文情報データに変換するための注文情報データ変換テーブルを示す図
【図６】本発明の注文情報振り分けシステムでのＥＤＩデータから変換された注文情報データを示す図
【図７】本発明の注文情報振り分けシステムでの登録された発注者の一覧を示す発注元コードテーブルを示す図
【図８】本発明の注文情報振り分けシステムでの登録された受注者の事業部の一覧を示す事業部コードテーブルを示す図
【図９】本発明の注文情報振り分けシステムでの登録された品番の一覧を示す品番コードテーブルを示す図
【図１０】本発明の注文情報振り分けシステムでの直結／非直結を振り分けるための注文情報データ振分テーブルを示す図
【図１１】本発明の注文情報振り分けシステムでの直結とされた注文情報データの分配先一覧を示す直結注文情報データ分配テーブルを示す図
【図１２】本発明の注文情報振り分けシステムでの非直結とされた注文情報データの分配先一覧を示す非直結注文情報データ分配テーブルを示す図
【図１３】本発明の注文情報振り分けシステムでの注文情報データが振り分けられるフローを示す図
【符号の説明】
【０１２９】
１０    ホストコンピュータ
１０１    ＥＤＩデータ受信部
１０２    注文情報データ変換部
１０３    注文情報データ記憶部
１０４    注文情報データ振分部
１０５    直結注文情報データ分配部
１０６    非直結注文情報データ分配部
１１１    注文情報データ変換テーブル
１１２    発注元コードテーブル
１１３    事業部コードテーブル
１１４    品番コードテーブル
１１５    注文情報データ振分テーブル
１１６    直結注文情報データ分配テーブル
１１７    非直結注文情報データ分配テーブル
２０１    事業部
２１１    事業部端末
３０    ネットワーク
４０１    発注元
４１１    発注元端末
【図１】
2006338469.tif 000003
【図２】
2006338469.tif 000004
【図３】
2006338469.tif 000005
【図４】
2006338469.tif 000006
【図５】
2006338469.tif 000007
【図６】
2006338469.tif 000008
【図７】
2006338469.tif 000009
【図８】
2006338469.tif 000010
【図９】
2006338469.tif 000011
【図１０】
2006338469.tif 000012
【図１１】
2006338469.tif 000013
【図１２】
2006338469.tif 000014
【図１３】
2006338469.tif 000015